(57)【要約】【課題】裏面を貼り合わせることで綴られた台紙の表示面を、剥離時に台紙から外れない透明フィルムを有するアルバム面にすることができる冊子を提供すること。【解決手段】表示面４ａを内側にして折り曲げられた複数の台紙４の裏面４ｂを貼り合わせて形成された冊子１であって、表示面４ａの少なくとも一部は、接着剤が塗布された接着領域１１と、接着領域１１の全面を剥離自在に覆う透明フィルム１３と、接着領域１１の接着力よりも強い接着力で透明フィルム１３の周縁部の一部を表示面４ａに接着した固着領域１４と、を有するアルバム面５βである構成とした。【選択図】図３
2018075782.tif 000002
【特許請求の範囲】
【請求項１】
表示面を内側にして折り曲げられた複数の台紙の裏面を貼り合わせて形成された冊子であって、
前記表示面の少なくとも一部は、接着剤が塗布された接着領域と、前記接着領域の全面を剥離自在に覆う透明フィルムと、前記接着領域の接着力よりも強い接着力で前記透明フィルムの周縁部の一部を前記表示面に接着した固着領域と、を有するアルバム面である
ことを特徴とする冊子。
【請求項２】
請求項１に記載された冊子において、
前記アルバム面は、前記台紙の折り曲げ中心位置に沿った所定の領域に、前記接着剤が塗布されていない非接着領域を有し、
前記透明フィルムは、前記接着領域の全面に加え、前記非接着領域の一部も覆う
ことを特徴とする冊子。
【請求項３】
請求項２に記載された冊子において、
前記固着領域は、前記透明フィルムの小口側端部に沿って形成されている
ことを特徴とする冊子。
【請求項４】
台紙の表示面に印刷を行い、前記表示面が印刷面である第１台紙を作成する工程と、
台紙の表示面に接着剤を塗布して接着領域を形成し、前記接着領域を透明フィルムで覆い、前記透明フィルムの周縁部の一部を前記台紙に圧着して前記接着領域の接着力よりも強い接着力で前記表示面に接着した固着領域を形成し、前記表示面がアルバム面である第２台紙を作成する工程と、
前記第１台紙の裏面及び前記第２台紙の裏面に接着剤を塗布し、前記表示面を内側にして前記第１台紙及び前記第２台紙をそれぞれ折り曲げ、前記第１台紙と前記第２台紙とを重ね合わせると共に、そのとき接触した裏面同士を貼り合わせる工程と、
重なり合った状態で裏面同士が貼り合わせられた前記第１台紙及び前記第２台紙の、背部以外の三方の周縁を裁断する工程と、
を備えることを特徴とする冊子の製造方法。
【発明の詳細な説明】
【技術分野】
【０００１】
本発明は、表示面を内側にして折り曲げられた複数の台紙の裏面を貼り合わせて形成された冊子及び冊子の製造方法に関する。
【背景技術】
【０００２】
従来、厚紙等からなる台紙の表裏面に接着剤を塗布した接着領域を設け、この接着領域を透明フィルムで剥離自在に覆い、台紙の表裏にそれぞれアルバム面を形成したアルバムが知られている（例えば、特許文献１参照）。このアルバムでは、透明フィルムが台紙の小口側端部をくるみ、台紙の表面に設けられた接着領域と、台紙の裏面に設けられた接着領域とを一体に覆うことで、剥離した際に台紙から外れないようになっている。
【先行技術文献】
【特許文献】
【０００３】
【特許文献１】特開平９−２７２２７９号公報
【発明の概要】
【発明が解決しようとする課題】
【０００４】
ところで、写真等が印刷された印刷面が一方の面に設けられた複数の台紙を、この印刷面が内側になるように折り曲げてから裏面を張り合わせて形成された冊子（アルバム書籍）が知られている。この冊子では、台紙の裏面同士を貼り合わせて台紙を綴るため、透明フィルムが表裏面に貼り付けられた台紙を貼り合わせることはできなかった。
また、一般的に、複数の台紙の裏面同士を貼り合わせて冊子にする場合では、台紙の周縁を揃えるために背部以外の三方を裁断する。そのため、このような冊子に、上述の台紙の小口側端部で表裏が一体につながった透明フィルムを有する台紙を組み込んだ場合、背部以外の三方を裁断すると、透明フィルムの端部が切断されて表裏が分離し、剥離した際に台紙から外れてしまうことが考えられる。
【０００５】
そこで、本発明は、裏面を貼り合わせることで綴られた台紙の表示面に、剥離時に台紙から外れない透明フィルムを有するアルバム面を設けることができる冊子及び冊子の製造方法を提供することを目的としている。
【課題を解決するための手段】
【０００６】
上記目的を達成するため、本発明は、表示面を内側にして折り曲げられた複数の台紙の裏面を貼り合わせて形成された冊子であって、表示面の少なくとも一部は、接着剤が塗布された接着領域と、接着領域の全域を剥離自在に覆う透明フィルムと、接着領域の接着力よりも強い接着力で透明フィルムの周縁部の一部を表示面に接着した固着領域と、を有するアルバム面である。
【発明の効果】
【０００７】
よって、アルバム面が有する透明フィルムが台紙の裏面に回り込むことがなく、台紙の裏面を他の台紙の裏面に貼り合わせることが可能となる。また、固着領域によって透明フィルムの剥離時に台紙から外れることがなく、冊子状に形成された台紙の背部以外の三方の裁断が可能となり、重ねられた台紙の周縁を揃えることができる。
この結果、折り曲げられて裏面が貼り合わされる台紙の表示面に、接着領域を覆う透明フィルムが剥離時に台紙から外れないアルバム面を設けることができる。
【図面の簡単な説明】
【０００８】
【図１】実施例１の冊子を示す外観斜視図である。
【図２】実施例１の冊子を示す断面図である。
【図３】表示面がアルバム面である台紙を示す斜視図である。
【図４】実施例１の冊子の製造方法における第１台紙作成工程を示す説明図である。
【図５】実施例１の冊子の製造方法における第２台紙作成工程を示す説明図である。
【図６Ａ】実施例１の冊子の製造方法における冊子本体工程を示す第１説明図である。
【図６Ｂ】実施例１の冊子の製造方法における冊子本体工程を示す第２説明図である。
【図７】実施例１の冊子の製造方法における冊子本体工程を示す第３説明図である。
【図８】実施例１の冊子の製造方法における仕上げ工程を示す説明図である。
【図９Ａ】実施例１の冊子の第１変形例を示す斜視図である。
【図９Ｂ】実施例１の冊子の第２変形例を示す斜視図である。
【図９Ｃ】実施例１の冊子の第３変形例を示す斜視図である。
【発明を実施するための形態】
【０００９】
以下、本発明の冊子及び冊子の製造方法を実施するための形態を、図面に示す実施例１に基づいて説明する。
【００１０】
（実施例１）
まず、実施例１の冊子の構成を、「全体構成」、「アルバム面の詳細構成」、「冊子の製造方法」に分けて説明する。
【００１１】
［全体構成］
図１は、実施例１の冊子を示す外観斜視図であり、図２は、断面図である。以下、図１及び図２に基づき、実施例１の冊子の全体構成を説明する。
【００１２】
実施例１の冊子１は、ハードカバーの表紙２と、この表紙２に接着される冊子本体３と、を備えている。
【００１３】
表紙２は、ここでは、厚紙からなる芯紙の外側面に、所定の印刷が施された印刷シートをラミネート加工して形成されている。この表紙２に対し、図２に示すように、見返し紙２ａを介して冊子本体３が接着されている。見返し紙２ａは、冊子本体３の両側に１枚ずつ配置され、各見返し紙２ａは、表紙２の内側面と、冊子本体３の最外面に貼り付けられている。
【００１４】
冊子本体３は、冊子１の中身となる部位であり、表紙２とは別体に形成される。この冊子本体３は、冊子１の見開きサイズの台紙４を、表示面４ａを内側にして折り曲げ、この折り曲げられた台紙４を複数重ねると共に、図２に示すように、そのとき接触した互いの裏面４ｂ同士を貼り合わせることで形成されている。
【００１５】
実施例１では、複数の台紙４のうちの一部は、冊子１の見開きサイズの片面アート紙等によって形成され、表示面４ａが印刷面５αとなっている。また、複数の台紙４のうちの一部は、冊子１の見開きの半分のサイズの厚紙等からなる台紙片６を２枚連結することによって形成され、表示面４ａがアルバム面５βとなっている（図３参照）。
ここで、「印刷面５α」は、表示面４ａに写真等の印刷Ｋが設けられたページであり、台紙４自体に直接印刷Ｋを施してもよいし、印刷Ｋが施された別紙を貼り付けて印刷面５αとしてもよい。一方、「アルバム面５β」は、表示面４ａに透明フィルム１３で覆われた接着領域１１が設けられたページであり、接着領域１１と透明フィルム１３との間に写真やメモ等の紙片Ｓを挟み込むことができる。
【００１６】
この実施例１の冊子１は、図１に示すように、複数の表示面４ａが、印刷面５α又はアルバム面５βのいずれかによって構成され、印刷面５αとアルバム面５βが一冊に綴られたものになっている。
【００１７】
［アルバム面の詳細構成］
図３は、実施例１の冊子が有する表示面がアルバム面になっている台紙の断面図である。以下、図３に基づき、実施例１のアルバム面の詳細構成を説明する。
【００１８】
図３に示すように、台紙４を形成する台紙片６のそれぞれの表示面４ａに形成されたアルバム面５βは、接着領域１１と、非接着領域１２と、透明フィルム１３と、固着領域１４と、を有している。
【００１９】
接着領域１１は、例えばアクリル系接着剤や、アクリルエマルジョン接着剤等の接着剤が塗布された領域である。ここで、接着剤は、接着領域１１の全面に一様に塗布されてもよいし、接着領域１１内に線状に塗布してもよい。
【００２０】
非接着領域１２は、接着剤が塗布されていない領域であり、台紙片６の綴り側端部４ｃに沿い、この綴り側端部４ｃから所定幅の帯状に設けられている。この非接着領域１２の幅寸法Ｗ１は、少なくとも透明フィルム１３を剥離する際に、使用者の指が接触し、透明フィルム１３をつまみやすくするために必要な寸法とする。
【００２１】
透明フィルム１３は、接着領域１１の全面を剥離自在に覆うと共に、さらに非接着領域１２の一部を覆っている。すなわち、透明フィルム１３は、接着領域１１に剥離可能に貼着され、剥離したときには接着領域１１に塗布された接着剤は台紙片６の表面に残り、この接着領域１１の上に写真等を貼り付けることができる。
この透明フィルム１３は、可撓性かつ疎水性であって平坦なシートであり、例えばポリエチレンや、ポリエチレン酢酸ビニルによって形成されている。また、透明フィルム１３の厚みは、一般的な写真用画像用紙の厚みと同程度である。
【００２２】
固着領域１４は、透明フィルム１３を、接着領域１１の接着力よりも強い接着力で台紙片６の表示面４ａに接着した領域である。この固着領域１４は、透明フィルム１３の小口側端部１３ａに沿った所定幅の帯状に設けられている。この固着領域１４の幅寸法Ｗ２は、透明フィルム１３を剥離したときに、この透明フィルム１３を台紙片６から分離させないために必要な寸法とする。
これにより、透明フィルム１３を接着領域１１から剥離する程度の力では、この透明フィルム１３を台紙片６から分離することはできない。
【００２３】
さらに、この実施例１では、表示面４ａがアルバム面５βとなった台紙片６は、他の表示面４ａがアルバム面５βとなった台紙片６に対し、綴り側端部４ｃ同士が対向するように並列されると共に、２枚の台紙片６の境界位置の裏面２ｂ側に寒冷紗１５が貼り付けられて連結し、冊子１の見開きサイズの台紙４となっている。つまり、２枚の台紙片６の境界位置が、台紙４の折り曲げ中心位置Ｏとなる。
【００２４】
［冊子の製造方法］
図４は、実施例１の冊子の製造方法を示す模式図である。以下、図４に基づいて実施例１の冊子の製造方法を説明する。
【００２５】
実施例１の冊子１を製造するには、まず、図４に示す第１台紙作成工程を実施する。すなわち、ロール状の片面アート紙２０を引き出し、印刷工程を実施する。印刷Ｋは、インクジェット印刷機２１によって片面アート紙２０の表示面４ａとなる一方の面の任意の領域に行われる。これにより、片面アート紙２０の表示面４ａとなる一方の面に印刷面５αが形成される。
続いて、裁断工程に移行し、片面に印刷面５αが形成された片面アート紙２０を、製本予定の冊子１の見開きサイズに裁断する。裁断は、裁断機２２によって行う。
これにより、表示面４ａが印刷面５αである第１台紙４１の作成が完了する。
【００２６】
一方、上記第１台紙作成工程と並行して、図５に示す第２台紙作成工程を実施する。すなわち、まず、ロール状の厚紙３０を引き出し、糊付け工程に移行する。糊付け（接着剤Ｎの塗布）は、厚紙３０の下方位置に、垂直方向に配置された一対のローラ３１ａ,３１ｂ間に架け渡された糊付けベルト３１ｃを、厚紙３０に接触させることで行われる。すなわち、厚紙３０の表示面４ａとなる一方の面に糊付けベルト３１ｃを接触させ、この糊付けベルト３１ｃが接触した位置に接着領域１１が設けられ、糊付けベルト３１ｃが接触しない位置に非接着領域１２が設けられる。
【００２７】
続いて、ロール状の透明フィルム１３を引き出してフィルム貼着工程に移行し、厚紙３０に重ね合わせる。このとき、接着領域１１が設けられた面（表示面４ａとなる面）に対して透明フィルム１３を重ねることで、接着領域１１が透明フィルム１３によって覆われる。なお、このとき透明フィルム１３は、厚紙３０の表示面４ａとなる一面の全域を覆うため、非接着領域１２も全面が透明フィルム１３によって覆われる。
【００２８】
次に、圧着工程に移行し、厚紙３０のうち小口側端部１３ａに相当する位置を圧着ローラ３２で加熱しながら加圧する。このため、透明フィルム１３の一部が溶けて厚紙３０に溶着し、固着領域１４が形成されて、透明フィルム１３の小口側端部１３ａが表示面４ａに圧着される。そして、この結果、厚紙３０の表示面４ａとなる一方の面にアルバム面５βが形成される。
【００２９】
次に、裁断工程に移行し、片面にアルバム面５βが形成された厚紙３０を、製本予定の冊子１の見開きの半分のサイズに裁断する。裁断は、裁断機３３によって行う。また、この厚紙３０の裁断と同時に、非接着領域１２を覆う透明フィルム１３の一部を切り取り、非接着領域１２を露出させる。これにより、表示面４ａがアルバム面５βである台紙片６が作成される。
【００３０】
続いて、台紙作成工程に移行し、綴り側端部４ｃ同士を対向させた状態で、２枚の台紙片６を並列する。そして、この２枚の台紙片６の間に跨って、台紙片６の裏面２ｂに帯状の寒冷紗１５を貼り付ける。これにより、２枚の台紙片６,６が一体になり、表示面４ａがアルバム面５βである第２台紙４２の作成が完了する。ここで、第２台紙４２は、見開きの半分のサイズの台紙片６を２枚連結しているので、見開きサイズとなる。
【００３１】
第１台紙４１及び第２台紙４２を作成したら、図６Ａ、図６Ｂ、図７に示す冊子本体作成工程移行する。すなわち、図６Ａ及び図６Ｂに示すように、第１台紙４１及び第２台紙４２のそれぞれの裏面４ｂの全面に対して、糊付け（図示しない接着剤の塗布）を行う。このとき、手作業によって糊付けしてもよいし、糊付けローラを用いた機械作業によって行ってもよい。
第１台紙４１及び第２台紙４２の裏面４ｂに糊付けを行ったら、見開きサイズの第１台紙４１及び第２台紙４２を、それぞれ表示面４ａを内側にして折り曲げ、見開きの半分のサイズにする。
【００３２】
そして、第１台紙４１及び第２台紙４２を折り曲げたら、図７に示すように、第１台紙４１や第２台紙４２を複数重ね合わせ、各台紙の裏面４ｂ同士を貼り合わせる。このとき、貼り合わせる第１台紙４１や第２台紙４２の枚数や順序は任意に決めることができる。そして、裏面４ｂ同士を貼り合わせることで、冊子本体３の各ページの両面が表示面４ａになる。なお、冊子本体３の最外面となる台紙４の裏面４ｂは、露出させたままとする。また、台紙４の背部４ｄには、補強のための寒冷紗１５ａを貼り付ける。
【００３３】
必要な枚数の台紙４の貼り合わせが完了したら、台紙４の背部４ｄ以外の三方（小口、天、地）を裁断する。このとき、表示面４ａがアルバム面５βである第２台紙４２における小口の裁断は、透明フィルム１３の小口側端部１３ａに沿って設けられた固着領域１４内にて行われる。つまり、台紙４の背部４ｄ以外の三方（小口、天、地）を裁断する際、固着領域１４が裁断される。
そして、裁断することにより、重ねられた各台紙４の周縁が揃えられたら、冊子本体３の作成が完了する。
【００３４】
冊子本体３を作成したら、図８に示す仕上げ工程に移行する。すなわち、予め用意した表紙２の内側面と、冊子本体３の最外面との間に見返し紙２ａを配置する。そして、見返し紙２ａの半分を表紙２の内側面に貼り付ける一方、残りの半分を冊子本体３の最外面となる台紙４の裏面４ｂに貼り付ける。これにより、冊子１の作成が完了する。
【００３５】
次に、実施例１の冊子の作用を説明する。
【００３６】
実施例１の冊子１では、図７に示すように、表示面４ａが印刷面５αである台紙（第１台紙４１）と、表示面４ａがアルバム面５βである台紙（第２台紙４２）とを、それぞれ表示面４ａを内側にして折り曲げ、互いの裏面４ｂ同士を貼り合わせることで綴り、冊子本体３としている。
一方、アルバム面５βは、図３に示すように、接着剤が塗布された接着領域１１と、接着領域１１を剥離自在に覆う透明フィルム１３と、を有している。そして、この透明フィルム１３が、接着領域１１の全面を覆うと共に、周縁部の一部、ここでは小口側端部１３ａに固着領域１４が形成されて、接着領域１１の接着力よりも強い接着力で表示面４ａに接着されている。
【００３７】
そのため、透明フィルム１３を接着領域１１から剥離した際、この透明フィルム１３を剥離する程度の力では、透明フィルム１３を台紙片６（台紙４）から剥がすことはできず、剥離時に透明フィルム１３が台紙４から外れてしまうことを防止できる。
【００３８】
また、透明フィルム１３の小口側端部１３ａを、接着領域１１の接着力よりも強い接着力で表示面４ａに接着したことで、台紙片６（台紙４）の裏面４ｂ側に透明フィルム１３が回り込ませる必要がない。これにより、表示面４ａをアルバム面５βとした台紙片６（台紙４）の裏面４ｂを、他の台紙４の裏面４ｂと貼り合わせることが可能となる。
【００３９】
さらに、透明フィルム１３が台紙片６（台紙４）の裏面４ｂ側に回り込んでいないことで、複数の台紙４を重ね合わせた後、重なり合った台紙４の周縁を揃えるために、背部４ｄ以外の三方を裁断しても、透明フィルム１３が台紙４から外れるおそれはない。
この結果、裏面４ｂを貼り合わせることで綴られた台紙４の表示面４ａを、剥離時に、台紙４から外れない透明フィルム１３を有するアルバム面５βにすることができる冊子１とすることができる。
【００４０】
そして、冊子１が、表示面４ａの一部をアルバム面５βとしたことで、一冊の冊子１の中に、図１に示すように、表示面４ａが印刷面５αとなっているページと、表示面４ａがアルバム面５βになっているページとが混在させることができる。
そのため、予め印刷Ｋによって写真や文章を記載したページ（印刷面５α）と、使用者が後から好きな写真や手紙等の紙片Ｓを挟み込んだページ（アルバム面５β）とを一冊にまとめることができる。
【００４１】
特に、実施例１の冊子１を記念アルバム（卒業アルバム）に適用した場合では、各冊子１に共通するページを印刷面５αによって作成すると共に、アルバム面５βを利用して、任意の写真等の紙片Ｓを挟むことで、オリジナルの記念アルバム（卒業アルバム）とすることができる。
【００４２】
また、この冊子１では、アルバム面５βが、台紙片６の綴り側端部４ｃに沿った所定幅Ｗ１の領域に、接着剤が塗布されていない非接着領域１２を有している。また、透明フィルム１３は、接着領域１１の全面と、非接着領域１２の一部と、を覆っている。
そのため、透明フィルム１３を剥離する際、使用者の指を透明フィルム１３と台紙表面との間に入り込ませることができる。これにより、透明フィルム１３をつまみやすくして、容易に剥離可能とすることができる。
【００４３】
さらに、この実施例１では、透明フィルム１３の小口側端部１３ａに沿って固着領域１４が形成され、この透明フィルム１３は、小口側端部１３ａが接着領域１１の接着力よりも強い接着力で表示面４ａに接着されている。
そのため、透明フィルム１３を、非接着領域１２が形成された台紙片６の綴り側端部４ｃから小口側端部１３ａに向かって剥離した際、透明フィルム１３を剥離しやすくすることができる。また、複数の台紙４を重ね合わせた後、台紙周縁を揃えるために背部４ｂ以外の三方を裁断する際、固着領域１４内にて裁断することが可能となる。これにより、透明フィルム１３の小口側端部１３ａのめくれ上がりを防止することができる。
【００４４】
次に、効果を説明する。
実施例１の冊子１にあっては、下記に列挙する効果を得ることができる。
【００４５】
(1) 表示面４ａを内側にして折り曲げられた複数の台紙４の裏面４ｂを貼り合わせて形成された冊子１であって、
前記表示面４ａの少なくとも一部は、接着剤が塗布された接着領域１１と、前記接着領域１１の全面を剥離自在に覆う透明フィルム１３と、前記接着領域１１の接着力よりも強い接着力で前記透明フィルム１３の周縁部の一部を前記表示面４ａに接着した固着領域１４と、を有するアルバム面５βである構成とした。
これにより、裏面４ｂを貼り合わせることで綴られた台紙４の表示面４ａを、剥離時に台紙４から外れない透明フィルム１３を有するアルバム面５βにすることができる。
【００４６】
(2) 前記アルバム面５βは、前記台紙４の折り曲げ中心位置Ｏに沿った所定の領域に、前記接着剤が塗布されていない非接着領域１２を有し、
前記透明フィルム１３は、前記接着領域１１の全面に加え、前記非接着領域１２の一部も覆う構成とした。
これにより、(1)の効果に加え、透明フィルム１３を剥離する際、この透明フィルム１３をつまみやすくして、容易に剥離可能とすることができる。
【００４７】
(3) 前記固着領域１４は、前記透明フィルム１３の小口側端部１３ａに沿って形成されている構成とした。
これにより、(2)の効果に加え、透明フィルム１３を剥離しやすくすると共に、剥離した透明フィルム１３が台紙４から外れてしまうことを防止できる。また、複数の台紙４を重ね合わせて背部４ｂ以外の三方を裁断する際、固着領域１４内での裁断が可能となり、透明フィルム１３の小口側端部１３ａのめくれ上がりを防止することができる。
【００４８】
(4) 台紙４の表示面４ａに印刷を行い、前記表示面４ａが印刷面５αである第１台紙４１を作成する工程と、
台紙４の表示面４ａに接着剤Ｎを塗布して接着領域１１を形成し、前記接着領域１１を透明フィルム１３で覆い、前記透明フィルム１３の周縁部の一部を前記表示面４ａに圧着して前記接着領域１１の接着力よりも強い接着力で前記表示面４ａに接着した固着領域１４を形成し、前記表示面４ａがアルバム面５βである第２台紙４２を作成する工程と、
前記第１台紙４１の裏面４ｂ及び前記第２台紙４２の裏面４ｂに接着剤を塗布し、前記表示面４ａを内側にして前記第１台紙４１及び前記第２台紙４２をそれぞれ折り曲げ、前記第１台紙４１と前記第２台紙４２とを重ね合わせると共に、そのとき接触した裏面４ｂ同士を貼り合わせる工程と、
重なり合った状態で裏面４ｂ同士が貼り合わせられた前記第１台紙４１及び前記第２台紙４２の、背部４ｄ以外の三方の周縁を裁断する工程と、
を備える構成とした。
これにより、裏面４ｂを貼り合わせることで綴られた台紙４の表示面４ａを、剥離時に台紙４から外れない透明フィルム１３を有するアルバム面５βとすることができる。
【００４９】
以上、本発明の冊子を実施例１に基づき説明してきたが、具体的な構成については、これらの実施例に限られるものではなく、特許請求の範囲の各請求項に係る発明の要旨を逸脱しない限り、設計の変更や追加等は許容される。
【００５０】
上記実施例１では、表示面４ａがアルバム面５βとなった第２台紙４２を、２枚連結し、見開きサイズの台紙４の両側の表示面４ａをいずれもアルバム面５βとした例を示した。しかしながら、これに限らず、冊子１の見開きサイズの台紙４の両側の表示面４ａをアルバム面５βとしてもよい。
また、例えば図９Ａに示す冊子１Ａのように、見開きサイズの台紙４のうちの一方の表示面４ａをアルバム面５βとし、他方の表示面４ａを印刷面５αとしてもよい。
【００５１】
また、図９Ｂに示す冊子１Ｂのように、見開きの半分のサイズの台紙４の表示面４ａの一部がアルバム面５βであり、残りの部分が印刷面５αであってもよい。
【００５２】
さらに、実施例１では、固着領域１４を透明フィルム１３の小口側端部１３ａに沿って形成する例を示したが、これに限らない。例えば、図９Ｃに示す冊子１Ｃのように、透明フィルム１３の天側端部１３ｂに沿って固着領域１４を設けてもよい。この場合には、ページの下側（地側）から上側（天側）に向けて透明フィルム１３をめくり上げるように剥離することができる。
【００５３】
また、アルバム面５βが非接着領域１２を有しておらず、表示面４ａの前面に接着領域１１を設けたものであってもよい。
さらに、印刷面５αに印刷を施さず、後から書き込み等を可能とするために、表示面４ａを白紙としてもよい。
【符号の説明】
【００５４】
１  冊子
２  表紙
３  冊子本体
４  台紙
４１  第１台紙
４２  第２台紙
４ａ  表示面
４ｂ  裏面
４ｃ  綴り側端部
４ｄ  背部
５α  印刷面
５β  アルバム面
６  台紙片
１１  接着領域
１２  非接着領域
１３  透明フィルム
１３ａ  小口側端部
１４  固着領域
【図１】
2018075782.tif 000003
【図２】
2018075782.tif 000004
【図３】
2018075782.tif 000005
【図４】
2018075782.tif 000006
【図５】
2018075782.tif 000007
【図６Ａ】
2018075782.tif 000008
【図６Ｂ】
2018075782.tif 000009
【図７】
2018075782.tif 000010
【図８】
2018075782.tif 000011
【図９Ａ】
2018075782.tif 000012
【図９Ｂ】
2018075782.tif 000013
【図９Ｃ】
2018075782.tif 000014